(57)【要約】【課題】一層効率の良い新規なフィールドエミッションランプを提供することを目的とする。【解決手段】真空空間内に形成された電子放出源、ゲート電極及び蛍光体層を備えた反射型フィールドエミッションランプであって、前記電子放出源は、間隙を空けて覆うように形成された前記ゲート電極との間に電界が形成されて、電子線を放出し、前記蛍光体層は、前記ゲート電極との間に電界が形成されて、前記電子線が衝突することにより励起発光し、前記電子放出源は、前記電子線が前記蛍光体層の表面に対して斜め方向から衝突し、且つ該蛍光体層からの発光光線を遮蔽しない場所に位置決めされている。【選択図】図３
2013073891.tif 000002
【特許請求の範囲】
【請求項１】
真空空間内に形成された電子放出源、ゲート電極及び蛍光体層を備えた反射型フィールドエミッションランプにおいて、
前記電子放出源は、間隙を空けて覆うように形成された前記ゲート電極との間に電界が形成されて、電子線を放出し、
前記蛍光体層は、前記ゲート電極との間に電界が形成されて、前記電子線が衝突することにより励起発光し、
前記電子放出源は、前記電子線が前記蛍光体層の表面に対して斜め方向から衝突し、且つ該蛍光体層からの発光光線を遮蔽しない場所に位置決めされている、フィールドエミッションランプ。
【請求項２】
請求項１に記載のフィールドエミッションランプにおいて、
前記電子放出源は、一定のサイズを有して形成されているのに対して、前記蛍光体層は、点状蛍光体層である、フィールドエミッションランプ。
【請求項３】
請求項１に記載のフィールドエミッションランプにおいて、
前記蛍光体層は、点状蛍光体層であり、
前記電子放出源は、点状電子放出源である、フィールドエミッションランプ。
【請求項４】
請求項１〜３のいずれか一項に記載のフィールドエミッションランプにおいて、
前記電子放出源は、ワイヤの表面に電子材料を塗布して形成されている、フィールドエミッションランプ。
【請求項５】
請求項１〜３のいずれか一項に記載のフィールドエミッションランプにおいて、
前記電子放出源は、カーボンナノチューブにより形成されている、フィールドエミッションランプ。
【請求項６】
請求項１〜５のいずれか一項に記載のフィールドエミッションランプにおいて、
前記導電性部材は、金属基板から成り、前記蛍光体層は、該金属基板の表面に成膜されている、フィールドエミッションランプ。
【発明の詳細な説明】
【技術分野】
【０００１】
本発明は、反射型フィールドエミッションランプに関する。
【背景技術】
【０００２】
フィールドエミッションランプ（以下、「ＦＥＬ」と略す。）は、真空容器中に電界放出陰極アレー（ＦＥＡ）と蛍光体を塗布したアノード基板とを対向させ、電子を加速して蛍光体を励起発光させる光源である。ＦＥＬの特徴は、(1)水銀不使用、(2)平面発光・前面発光が可能で、管形蛍光ランプ実効全光束が表示全光束よりも大幅に低いのに対して、実効全光束と全光束がほぼ等しい、(3)平面、管形以外の異形光源（曲面等）が可能、(4)温度変化・湿度に強い、(5)Ｘ−Ｙマトリクス形成不要でエミッタ欠陥の許容率が高く、低コストである等の特徴をもっている。
【０００３】
図１は、このようなＦＥＬの原理を説明する図である。電界放出電子源２とゲート４の間に電圧Ｖｋが印加され電界が形成される。電子源２の表面は、ミクロに見ると凹凸があり、電圧を印加すると凸部に電界が集中して、量子力学的トンネル効果により電子８が飛び出す。ゲート４と蛍光板６の間にも電圧Ｖａが印加され電界が形成され、電子８は加速されて蛍光板６に衝突し、蛍光板６が励起発光する。
【０００４】
なお、本発明者等は、ＦＥＬに関連する次の先行技術文献を承知している。
【先行技術文献】
【特許文献】
【０００５】
【特許文献１】特開平１０−２５５６９５号公報「照明装置及び発光装置」（公開日：１９９８年９月２５日）  特許文献１には、「透光性を有するカソード板６と発光面板１０を組み合わせる。発光面板１０を構成する発光面基板７を延長し、その裏面に反射層１１を形成し鏡とする。」（要約）というＦＥＬの構成が開示されている。
【特許文献２】特開２００８−９１２７９号公報「発光装置」（公開日：２００８年４月１７日）  特許文献２には、「…アノード電極５を設け、アノード電極５の両側の領域にカソード電極６を設ける。…電子放出源８に電界を印加して電子線を放出させ、放物線状に蛍光体層７に均一に落下させて蛍光体層７を励起・発光させる。」（要約）というＦＥＬの構成が開示されている。
【特許文献３】特開２００９−１１７２９９号公報「発光装置」（公開日：２００９年５月２８日）  特許文献３には、「カソード電極１０を透光部３０の周部に配置するとともに、アノード電極１５を透光部３０との対向領域に配設し、アノード電極１５の上層に配設される蛍光体１６の表面１６ａを凹面で形成する。」というＦＥＬの構成が開示されている。
【特許文献４】特開２０１０−２８２９５６号公報「電界放出型光源」（公開日：２０１０年１２月１６日）  特許文献４には、「エミッタ電極１１をワイヤエミッタ１１ａより構成し、反射部１５はアノード電極を兼ね、反射部１５の内径は、後端側が小さく先端側が大きくなっている。」（要約，段落0026）というＦＥＬの構成が開示されている。
【非特許文献】
【０００６】
【非特許文献１】上村佐四郎，余谷純子「３  ナノ電子材料３‐１  カーボンナノチューブフィールドエミッションディスプレイ」電子情報通信学会誌  Vol.85,No.11,PP.814-818  （２００２年１１月）  図２は、非特許文献１に記載されたランプ型デバイス１００を説明する構造模式図である。このランプ型デバイス１００は、陰極の電子放出源２０、グリッド電極（ゲート電極に相当）４０及び陽極の蛍光面６０からなる三極構造である。電子放出源２０は、スクリーン印刷法で形成された多層カーボンナノチューブ（多層ＣＮＴ）陰極であり、グリッド電極４０で覆われている。蛍光面６０は、片面がフラットなレンズ形状をしたガラス１６０のフラットな面にスクリーン印刷法で蛍光体膜６０を形成し、その表面にはアルミ薄膜（「メタルバック層」ともいう。）７０を真空蒸着により形成している。蛍光体膜６０は、十分な導電性を有していないので、このアルミ薄膜７０により、電荷の溜まり現象（「チャージアップ」ともいう。）を回避し、蛍光面の電位が保持されている。
【０００７】
陰極電子源２０とグリッド電極４０の間に正電圧Ｖｋを印加し、多層ＣＮＴ陰極２０の表面に強電界を発生すると、電子８０が飛び出す。電子源２０から放出された電子８０は真空空間で加速され、正電圧Ｖａが印加されたアルミ薄膜７０を貫通して、蛍光体６０に衝突し、蛍光体６０は電子線励起で発光する。
【０００８】
なお、この出願書類では、分かり易くするため、電子線８，８０を矢印付き実線で、発光光線１４，１４０を矢印付き破線で、夫々図示する。
【０００９】
なお、特許文献１では、発光面板１０を構成する発光面基板７を延長した構成が特徴であり、本実施形態とはその構造が異なる。
【００１０】
特許文献２では、上方に向けられた電子線をＵターンさせて蛍光体層に均一に照射する構造を採択しており、本実施形態とはその構造が異なる。特許文献２では、電子線を偏向制御するため電子線源と蛍光面との距離を或る程度必要とし、更に非常に強い電界強度が必要であるため小型化が難しいと思われる。更に、特許文献２には、「電子放出源８に電界を印加して電子線を濃出させ、放物線上に蛍光体層７に均一に落下させて蛍光体層７を励起・発光させる。」（要約）と記載されているが、「電子放出源８に印加される電界強度や電子放出源８と蛍光体層７との間隔等を考慮し、電子放出源８から放出された電子線が蛍光体層７全面に均一に照射されるような形状に適宜設定される。」（段落0024）とされるだけで、上方に向けられた電子線をＵターンさせて蛍光体層に均一に照射する具体的な提案はない。
【００１１】
特許文献３では、蛍光体１６の表面１６ａを凹面で形成した点に特徴があり、本実施形態とはその構造が異なる。特許文献３に示す凹面の蛍光体は、スクリーン印刷での形成が困難であり、装置の薄型構造も難しいと判断されるが、本実施形態に記載する蛍光体層はフラットであるため、スクリーン印刷での成膜が容易であり、装置の薄型構造が可能になる。更に、特許文献３では電子線が蛍光体層の面に対してほぼ垂直に衝突して蛍光体層の劣化を早めると思われるが、本実施形態では電子線は斜め入射であり、電子線の過度の集中による蛍光体層の劣化は抑制可能である。更に、凹面の蛍光体は、追加の冷却機構を設けることは考慮していない。更に、レンズ曲面３０ａを有する蓋体７は、これを通過する光束の損失が比較的大きいと思われるが、本実施形態では厚い蓋体は必要としない。更に、凹面の蛍光体１０は、カソード電極１０迄の距離が比較的大きいため所定の電界強度を得るためには比較的高い電圧を必要とするが、本実施形態では電子放出源と蛍光体層の距離が比較的小さく、同じ電界強度を得るに必要な電圧は相対的に低くてよい。
【００１２】
特許文献４では、エミッタ電極がワイヤ状であり、反射部の形状がお椀形をしている点に特徴があり、本実施形態とはその構造が異なる。
【００１３】
非特許文献１のランプ型デバイスは透過型ＦＥＬである。
【００１４】
いずれ先行技術文献記載の装置も、以下に説明する本実施形態に係る反射型ＦＥＬの特徴と相違する。
【発明の概要】
【発明が解決しようとする課題】
【００１５】
図２に示すランプ型デバイス１００は、電子線８０から発光１４０に至るルートが蛍光体６０を透過するため「透過型ＦＥＬ」と称される。透過型ＦＥＬは、蛍光体膜６０の表面にアルミ薄膜７０が存在するため、これを通過する際に電子線のエネルギーロスが発生する。また、蛍光体膜６０は、電子線８０の衝突によりかなり発熱するが、蛍光体膜６０の裏面は熱伝導性の悪いガラス１６０であり、更にガラス１６０の裏面は大気曝露の対流冷却であるため、蛍光体膜６０の冷却効率は悪い等の問題がある。
【課題を解決するための手段】
【００１６】
従って、本発明は、一層効率の良い新規なＦＥＬを提供することを目的とする。
【００１７】
上記目的に鑑みて、本発明に係る反射型フィールドエミッションランプは、真空空間内に形成された電子放出源、ゲート電極及び蛍光体層を備えた反射型フィールドエミッションランプであって、前記電子放出源は、間隙を空けて覆うように形成された前記ゲート電極との間に電界が形成されて、電子線を放出し、前記蛍光体層は、前記ゲート電極との間に電界が形成されて、前記電子線が衝突することにより励起発光し、前記電子放出源は、前記電子線が前記蛍光体層の表面に対して斜め方向から衝突し、且つ該蛍光体層からの発光光線を遮蔽しない場所に位置決めされている。
【００１８】
更に、上記反射型フィールドエミッションランプでは、前記電子放出源は、一定のサイズを有して形成されているのに対して、前記蛍光体層は、点状蛍光体層であってよい。
【００１９】
上記反射型フィールドエミッションランプでは、前記蛍光体層は、点状蛍光体層であり、
前記電子放出源は、点状電子放出源であってよい。
【００２０】
更に、上記反射型フィールドエミッションランプでは、前記電子放出源は、ワイヤの表面に電子材料を塗布して形成されていてもよい。
【００２１】
更に、上記反射型フィールドエミッションランプでは、前記電子放出源は、カーボンナノチューブにより形成されていてもよい。
【００２２】
更に、上記反射型フィールドエミッションランプでは、前記導電性部材は、金属基板から成り、前記蛍光体層は、該金属基板の表面に成膜されていてもよい。
【発明の効果】
【００２３】
本発明によれば、一層効率の良い新規なＦＥＬを提供することが出来る。
【図面の簡単な説明】
【００２４】
【図１】図１は、ＦＥＬの原理を説明する図である。
【図２】図２は、非特許文献１に記載されたランプ型デバイスを説明する構造模式図である。
【図３】図３は、第１実施形態に係る反射型ＦＥＬの構造を示す模式図である。
【図４】図４は、透過型ＦＥＬを説明する図である。
【図５】図５は、反射型ＦＥＬを説明する図である。
【図６】図６は、反射型ＦＥＬが有する欠点を説明する図である。
【図７】図７は、電子線の斜め照射の欠点を説明する図である。
【図８】図８は、第２実施形態に係る反射型ＦＥＬの構造を示す模式図である。
【図９】図９は、第３実施形態に係る反射型ＦＥＬの構造を示す模式図である。
【発明を実施するための形態】
【００２５】
以下、本発明に係る反射型フィールドエミッションランプ（反射型ＦＥＬ）の実施形態に関して、添付の図面を参照しながら詳細に説明する。なお、図中、同じ又は対応する要素に対しては同じ符号を付与して、重複した説明を省略する。また、本実施形態は、本発明を説明するための例示であって、本発明の技術的範囲を何等限定するものではないことを承知されたい。
【００２６】
［第１実施形態］
図３は、第１実施形態に係る反射型ＦＥＬ２０−１の構造を示す模式図である。反射型ＦＥＬ２０−１は、前面を透光性部材１６で形成した容器１２の内部空間１２ａに、２組の陰極の電子放出源２−１、各々の電子放出源を覆うメッシュ状のゲート電極４−１及びアノード電極としての蛍光体基板６−１，１８−１が収納されている。容器１２の内部空間１２ａは、真空に維持されている。
【００２７】
透光性部材１６は、典型的には耐熱ガラス（例えば、パイレックス（登録商標））である。しかし、この透光性部材１６は、その他のガラス或いは気密封止が可能な他の透光性部材であってもよい。容器１２は、典型的には透光性部材１６と同じ材料又はこれと熱膨張率の近い材料であるが、他の気密封止が可能な剛性部材であってもよい。
【００２８】
陰極の電子放出源２−１は、典型的には、２０ｍｍφの円形平板状であり、基板の表面に電子放出源の材料を塗布して形成した。しかし、図２のＦＥＬ１００と同様に、透光性部材１６の表面に、典型的にはスクリーン印刷法で形成された多層カーボンナノチューブ（多層ＣＮＴ）陰極としてもよい。しかし、電子放出源２−１は、その他の効率良く電子の電界放出が可能な陰極を使用してもよい。
【００２９】
ゲート電極４−１は、典型的には銅製の網目部材（メッシュ）又は格子部材（グリッド）である。しかし、ゲート電極４−１の形状に関しては、その他の多孔形状、スリット形状等の電子を効率良く通過させる任意の形状であってよい。
【００３０】
アノード電極の蛍光体基板６−１，１８−１は、板厚0.5ｍｍのニッケル（Ｎｉ）基板１８−１の表面に蛍光体層６−１をスクリーン印刷法により形成している。蛍光体層がフラットであり、このため、スクリーン印刷による成膜が可能であり、更に薄型構造のＦＥＬが可能となることは、本実施形態の特徴の１つである。しかし、基板１８−１の板厚及び材質は、これに限定されず、任意所望の板厚でよく、材質も電気導電性を有する部材、例えば、他の種類の金属基板、又は表面を導電処理した絶縁体であってよい。
【００３１】
蛍光体層６−１は、従来から知られており、電子線が衝突すると電子線励起によって発光する。基板１８−１に対する蛍光体層６−１の形成方法に関しては、スクリーン印刷法に限定されず、真空蒸着等により成膜してもよい。
【００３２】
電子放出源２−１とゲート電極４−１の間隔は、約0.5〜1.0ｍｍ、両者間に印加される電圧は約1〜2ｋＶであり、強い電界が形成されている。また、ゲート電極４−１と蛍光体層６−１の間に印加される電圧は約8ｋＶである。夫々の印加電圧をパルス電圧として、電子線の均一化、発光の均一化を図ってもよい。ここに示した間隔および電圧の値は典型例であり、別の適切な値であってもよい。
【００３３】
図３の反射型ＦＥＬ２０−１の発光は、陰極電子放出源２−１とゲート４−１の間に正電圧Ｖｋを印加し、陰極電子放出源２−１に強電界を発生すると、電子８が飛び出す。電子放出源２−１から放出された電子８の一部はゲート４−１に捕捉されるが、大半は真空空間１２ａで加速され、正電圧Ｖａが印加されたＮｉ基板１８−１の表面の蛍光体層６−１に衝突し、蛍光体層６−１は電子線励起により発光し、この発光光線１４は、電子放出源２−１とゲート電極４−１により遮られることなく、透光性部材１６を通って外部を照射する。発光１４は、一般に、可視光線であるが、これに限定されない。発光１４は、不可視光線である紫外線等であってもよい。
【００３４】
（変形例）
図３では、２組の電子放出源２−１及びゲート電極４−１を図示しているが、これに限定されない。１組でもよく、更に３組以上であってもよく、また組でなく１つ又は複数の電子放出源であってもよい。
【００３５】
（図３に示す反射型ＦＥＬの特徴等）
次に、図３に示す反射型ＦＥＬ２０−１の有する特徴について、図４〜９を参照しながら説明する。図２に示す透過型ＦＥＬ１００の構造と比較すると、図３に示すＦＥＬ２０−１は、(1)反射型であり、(2)蛍光体の構造（具体的には、アルミ薄膜が存在しないこと、有効な冷却構造が存在すること、電子線の衝突を受けた蛍光体層表面の発光が蛍光体層を透過することによるロスを被ることなく透光性部材の側に放出が可能なこと等）で相違する。
【００３６】
反射型に関しては、図４に示す透過型ＦＥＬと図５に示す反射型ＦＥＬとを比較して説明する。図４に示すように、透過型ＦＥＬ１００−１では、電子線８から発光１４に至るルートが蛍光体層６を透過する構造である。これに対して、図５の反射型ＦＥＬ２００−１では、電子線８から発光１４に至るルートが蛍光体層６で反射して、発光１４は透光性部材１７を通して外部へ向かう構造である。
【００３７】
次に、蛍光体基板の構造に関しては、図４に示す透過型ＦＥＬ１００−１では、蛍光体層６は、ガラスの表面（図示せず。図２の符号１６０参照）に形成され、蛍光体層６の表面にアルミ薄膜（メタルバック層）７が形成されている。これに対して、図５に示す反射型ＦＥＬ２００−１では、蛍光体層６は、Ｎｉ基板１８の表面に形成されている。蛍光体層６は導電性のＮｉ基板１８に形成されているため、別途、チャージアップを回避し蛍光体層の電位を保持するための新たなアルミ薄膜は必要としない。従って、電子放出源２から飛び出した電子８は、アルミ薄膜通過によるエネルギーロスを受けることなく、直接、蛍光体層６に衝突することができる。更に、透過型ＦＥＬ１００−１では、電子線が蛍光体層６に衝突して発生した発光光線１４が、蛍光体層を透過して光放出面側に到達するまでに光線透過ロスが存在するが、反射型ＦＥＬ２００−１にはそのようなロスが無く透光性部材１７の側に放出可能である。
【００３８】
また、電子線８が蛍光体層６に衝突すると蛍光体層６は発熱するが、図４に示す透過型ＦＥＬ１００−１では蛍光体層６の裏面はガラス（図示せず。図２の符号１６０参照）であり、ガラスは熱伝導性が悪い。これに対して、図５の反射型ＦＥＬ２００−１では、蛍光体層６の裏面はＮｉ基板１８であり、Ｎｉ基板は熱伝導性が良いため、良好な冷却効果が得られる。更に、必要に応じて、Ｎｉ基板１８の裏面に、電子線８又は発光光線１４を遮蔽することなく、適当な冷却手段（冷却フィン，クーラー等）を設けることも出来る。これに対して、図４に示す透過型ＦＥＬ１００−１では、ガラスの裏面に、発光光線１４を遮蔽することなく冷却手段を設けることは難しい（図２参照）。
【００３９】
上述の通り、透過型ＦＥＬ１００−１と比較して、反射型ＦＥＬ２００−１は幾つかの利点を有しているため、図３に示す第１実施形態では反射型ＦＥＬを採用している。
【００４０】
反面、透過型ＦＥＬ１００−１に比較して、反射型ＦＥＬ２００−１が有する欠点もある。図６に示すように、反射型ＦＥＬ２００−１では、蛍光体層６からの発光１４の一部は、電子放出源２及びゲート４に遮蔽され、上方の発光範囲のうち、角度θの範囲は影になる欠点を有している。この欠点を回避するため、図３に示すように、第１実施形態に係る反射型ＦＥＬ２０−１では、一対の電子放出源２−１及びゲート電極４−１の間に大きく隙間を設け、各々、発光光線１４を遮蔽しない場所に位置決めしている。これにより、発光を遮蔽して影を作る欠点が無くなる。
【００４１】
しかし、図３に示すように、電子線８が蛍光体層６−１に対して斜め入射する構成にも欠点がある。図７は、電子線の斜め照射の欠点を説明する図である。なお、図７に関しては、図を簡単にして分かり易くするため、電子放出源２−１と蛍光体層６−１のみを図示し、ゲート電極を省略してあることを承知されたい。図７に示すように、一定のサイズを有する電子放出源２−１と一定のサイズを有する蛍光体層６−１の間に電圧を印加して両者間に電界を形成した場合、理想的には、電子放出源全面から蛍光体層全面に向かって均一な電界が形成され、両方の面の間に破線８ｉに示すような均一な電子線が向かうことが望ましい。しかし、現実には、蛍光体層６−１の内で、電子放出源２−１に一番近い点Ｐに電界が集中して、電子放出源２−１からの電子線８は蛍光体層の点Ｐに集中し、点Ｐの発光体のみが発光することとなる。
【００４２】
［第２実施形態］
図８は、第２実施形態に係る反射型ＦＥＬ２０−２の構造を示す模式図である。図３に示す反射型ＦＥＬ２０−１と比較すると、図８に示す反射型ＦＥＬ２０−２は、蛍光体層６−２を微小なサイズの蛍光体層（点状蛍光体層）としている。これにより、電子線８が蛍光体層の一点に集中する欠点を回避することが出来る。蛍光体層６−２の寸法は、典型的には、3ｍｍφの円形である。
【００４３】
電子放出源２−２の個数は、２個に限定されない。１個又は３個以上であってよい。同様に、点状蛍光体層６−２の個数も１個に限定されない。２個以上であってよい。
【００４４】
しかし、図８に示す反射型ＦＥＬ２０−２では、一定のサイズの電子放出源２−２からの電子線８が、点状蛍光体層６−２に過度に集中する欠点も有する。
【００４５】
［第３実施形態］
図９は、第３実施形態に係る反射型ＦＥＬ２０−３の構造を示す模式図である。図３に示す反射型ＦＥＬ２０−１と比較すると、図９に示す反射型ＦＥＬ２０−３は、微小なサイズの電子放出源（点状電子放出源）２−３と微小なサイズの蛍光体層（点状蛍光体層）６−３としている。電子放出源２−３及び発光体６−３の寸法は、各々、典型的には、3ｍｍφの円形である。
【００４６】
ここで、点状電子放出源２−３の個数は、２個に限定されない。１個又は３個以上であってよい。同様に、点状蛍光体層６−３の項数も１個に限定されない。２個以上であってよい。
【００４７】
第３実施形態に係る反射型ＦＥＬ２０−３では、電子放出源と蛍光体層を微小サイズにした結果、第２実施形態に係る反射型ＦＥＬ２０−２に関して記載した、一定のサイズの電子放出源からの電子線が点状蛍光体層に過度に集中する欠点を回避することが出来る。
【００４８】
しかし、電子放出源と蛍光体層を微小サイズにした結果、発光光線の照度が弱くなる場合がある。図９を側面図として平面図を想定した場合、複数個の点状電子放出源を円周状に配置し、これに対応して複数個の点状蛍光体層を比較的小さめの同心円の円周状に配置することにより、照度を高めることが出来る。この場合、各々の点状電子放出源からの電子線は、夫々最も近い点状蛍光体層に向かうので、各々の点状蛍光体層は均一に発光することが期待できる。
【００４９】
［本実施形態の変形例等］
以上、本発明に係る反射型フィールドエミッションランプの実施形態について説明したが、これらは例示であり、本発明の範囲を何等制限するものではない。本実施形態に対して当業者が容易に成し得る追加・削除・変更・改良等は、本発明の範囲内である。本発明の技術的範囲は、添附の特許請求の範囲の記載に基づいて定められる。
【符号の説明】
【００５０】
２，２−１，２−２，２−３，２０：電子源，電子線源、電子放出源、  ４，４−１，４−２，４−３，４０：ゲート電極、  ６，６−１，６−２，６−３，６０：蛍光体層，蛍光体膜、  ７０：アルミ薄膜，メタルバック層、  ８，８０：電子線、  １０：ＦＥＬ、  １２：容器、  １２ａ：真空空間、  １６：透光性部材、  １８，１８−１：導電性部材，金属基板，ニッケル基板、  ２０，２０−１，２０−２，２０−３，２００−１：反射型ＦＥＬ、  １００，１００−１：透過型ＦＥＬ、  １６０：ガラス、
ＦＥＬ：フィールドエミッションランプ、
【図１】
2013073891.tif 000003
【図２】
2013073891.tif 000004
【図３】
2013073891.tif 000005
【図４】
2013073891.tif 000006
【図５】
2013073891.tif 000007
【図６】
2013073891.tif 000008
【図７】
2013073891.tif 000009
【図８】
2013073891.tif 000010
【図９】
2013073891.tif 000011